(57)【要約】【課題】画像撮像素子を具備する装置が接続された場合、前記装置に電力供給を行うことができるように、記録装置の電源容量を大きくする必要がある。【解決手段】画像撮像素子を具備する装置やホストコンピュータと接続される記録装置において、画像撮像素子を具備する装置がプリンタに接続されることを検出した場合、画像撮像素子を具備する装置に供給する電力に応じて記録動作における駆動手段のタイミングを切替える。【選択図】      図１
2004358894.tif 000002
【特許請求の範囲】
【請求項１】
インターフェースを介して電源の供給を受け動作する画像撮像素子を具備する装置やホストコンピュータから記録データを受信して、被記録媒体に対して記録ヘッドを用いて記録動作を行う記録装置であって、
前記画像撮像素子を具備する装置に対して所定の電源を供給する電源供給手段と、
前記画像撮像素子を具備する装置が接続されたことを検出する検出手段と、
前記記録ヘッドを走査させる走査手段と、
前記被記録媒体を搬送する搬送手段と、
前記検出手段が接続を検出した場合、前記走査手段と前記搬送手段とを同時に駆動することを禁止することを特徴とする記録装置。
【請求項２】
前記インターフェースはＵＳＢ規格に準ずるものであることを特徴とする請求項１に記載の記録装置。
【発明の詳細な説明】
【０００１】
【発明の属する技術分野】
本発明は記録装置に関するものである。
【０００２】
【従来の技術】
パーソナルコンピュータ、デジタルカメラ等の普及に伴い、ディジタル画像を記録するプリンタ等の記録装置の高精細化が進んでいる。記録装置の中でもインクジェット方式の記録ヘッドを用いたインクジェット記録装置が急速に普及しており、高精細な画像を実現し、且つ低価格なものが求められている。
【０００３】
シリアルスキャン型のインクジェット記録装置においては、記録用紙等の記録メディアの搬送方向（副走査方向）と直交する方向（主走査方向）に記録ヘッドを走査させながら記録を行い、１スキャン分の記録を終えた段階で記録メディアを搬送し、その繰り返しで画像を形成する。
【０００４】
図４は、キャリッジモータおよび被記録媒体の給排紙を行う搬送モータの消費電流を示した図である。図４に示すように、１ページの記録時間を短縮するため、キャリッジの加速時や減速時に搬送モータを同時に駆動している。
【０００５】
図４において（Ａ）は、記録動作を行う場合の、キャリッジモータの動作の消費電流の変化である。この図においては、キャリッジモータの駆動を開始して所定の時間を経過したのち、消費電流がピークに達する。（Ｂ）は、搬送モータの動作の消費電流の変化を示している。（Ｃ）は、両者を合計した消費電流値の変化を示す。
【０００６】
近年、ホストコンピュータを介さず、デジタルカメラから直接記録装置に印刷したいというユーザーの需要も高くなってきており、デジタルカメラ等の画像撮像素子を具備する装置から直接記録装置に対して印刷を行うダイレクト印刷機能も記録装置に必要な機能となってきている。
【０００７】
従来からダイレクト印刷機能をサポートする記録装置においては、インターフェースとしてＵＳＢを使用している。ＵＳＢは、ＵＳＢケーブルを通じてホスト側から周辺機器に対し電源を供給できることがその特徴の１つである。供給電流は、周辺機器１台あたり最大５００ｍＡとなっている。従来、記録装置にＵＳＢホストの機能を具備し、ファンクションとしてデジタルカメラと接続する構成をとっていたが、接続可能なデジタルカメラが限定されていた。接続可能なデジタルカメラは、ホストから電源を供給されなくても動作可能な、いわゆるセルフパワーであった。すなわち、記録装置としては、ＵＳＢの電源線であるＶｂｕｓに１００ｍＡ以下の電流を供給する能力があれば十分であった。また、接続されたＵＳＢデバイスがＶｂｕｓから１００ｍＡ以上引かれた場合は、１００ｍＡ以上引かれた事を検出し、Ｖｂｕｓを強制的に切断していた。Ｖｂｕｓで供給する電流が小さい為、記録装置の電源に対する負荷も軽く、ＵＳＢホストにデジタルカメラが接続されている場合と接続されていない場合で電源の負荷の理由から印刷モード等を変える必要は生じなかった。
【０００８】
【特許文献１】
特開平９−９５０２３号公報
【０００９】
【発明が解決しようとする課題】
近年、接続するＵＳＢデバイスの多様化により、ＵＳＢホストから電源の供給を受け動作するバスパワーのデバイスの接続も可能とする必要がある。その為、ＵＳＢインターフェースのＶｂｕｓから供給しなければならない電源容量は、増大している。具体的には、ＭＡＸ５００ｍＡ供給可能としなければならない。この問題を解決する為、記録装置の電源の能力（電力の供給能力）を上げれば良いが、電源のコストが上がってしまう。また、記録装置においてキャリッジのモーターと搬送モータの同時駆動の動作を行いつつ、Ｖｂｕｓへ５００ｍＡの電力供給を実現できるかが課題となる。
【００１０】
【課題を解決するための手段】
上記課題を解決し、目的を達成するために、本発明の記録装置は、インターフェースを介して電源の供給を受け動作する画像撮像素子を具備する装置やホストコンピュータから記録データを受信して、被記録媒体に対して記録ヘッドを用いて記録動作を行う記録装置であって、前記画像撮像素子を具備する装置に対して所定の電源を供給する電源供給手段と、前記画像撮像素子を具備する装置が接続されたことを検出する検出手段と、前記記録ヘッドを走査させる走査手段と、前記被記録媒体を搬送する搬送手段と、前記検出手段が接続を検出した場合、前記走査手段と前記搬送手段とを同時に駆動することを禁止する。
【００１１】
【発明の実施の形態】
【実施例】
＜第１の実施例＞
以下、図面を参照して本発明を詳細に述べる。図１は、本発明の記録装置の概略構成例を示すブロック図を表す図である。図中１００は、記録装置の制御を行う電気部品が実装されているコントロールボードである。
【００１２】
１０１は、ＳＹＳＴＥＭ  ＬＳＩであり、ＣＰＵ＿ＣＯＲＥ１０２とインターフェイス１１０を介してホストコンピュータ１１８やデジタルカメラ１１９とデータの送受信を行うインターフェイス制御回路１０３と、ＲＡＭ１０９内の受信バッファおよびプリントバッファに対してデータのリード／ライト制御を行うデータ制御回路１０４と、プリントデータ（記録データ）の生成を行うプリントデータ生成回路１０５と、生成されたプリントデータの記録ヘッド１１５へのデータ転送や記録ヘッドのインクの吐出制御を行うヘッド制御回路１０６と、記録ヘッド１１５を搭載したキャリッジを走査させるキャリッジモータ、被記録媒体（例えば記録用紙）の搬送を行う搬送モータ、給排紙を行う給排紙用モータ、記録ヘッドのクリーニング等メンテナンス用モータ、等のモータの駆動を制御する駆動制御回路１０７とを含む。１０８は、プリンタを制御するプログラムが格納されているＲＯＭである。
【００１３】
記録装置のプリント動作について説明する。インターフェイス（インターフェース）１１０を介してホストコンピュータ１１８から画像データ等を受信すると、ＳＹＳＴＥＭ  ＬＳＩ  １０１内のインターフェイス制御回路１０３からデータ制御回路１０４によって、ＲＡＭ１０９に割り当てられた受信バッファに受信データが一旦格納される。受信バッファに格納された受信データはコマンド解析が行われ、画像データ（記録データ）はプリントデータ生成回路１０５によってプリントデータ処理が行われてからＲＡＭ１０９に割り当てられたプリントバッファに蓄えられる。プリントバッファに必要量のデータが蓄えられた（格納された）ところでヘッド制御回路１０６によって所定のタイミングでプリントバッファからプリントデータが読み出され、記録ヘッド１１５に転送される。
【００１４】
さらに記録ヘッドが走査する過程で、ヘッド制御回路１０６によって記録ヘッド１１５に対して駆動パルスが与えられることによって実際のプリント動作が行われ、画像が形成される。記録ヘッド１１５の走査および被記録媒体の搬送は、駆動制御回路１０７によってキャリッジモータおよび搬送モータ、給排紙用モータをモータドライバ１１３を介して駆動することによってなされる。
【００１５】
デジタルカメラ１１９からのデータ受信においても２値化等の画像処理後、プリントデータの生成を行い同様の処理を行う事により、印刷動作（記録動作）を行う。
【００１６】
図２を用いて電源供給手段を説明する。２０１は、記録装置の電源である。本実施例においては、モータを駆動する電源であるＶＭ、記録ヘッドのインク吐出に使用するＶＨの２電源出力となっている。ロジック用電源作成手段２０２では、ＶＭ電源から降圧型のＤＣ／ＤＣコンバータでロジック用の電源を作っている。本実施例では、ＳＹＳＴＥＭ  ＬＳＩの内部ロジック用電源である１．５Ｖ（ボルト）、ＲＯＭ，ＲＡＭ，ＳＹＳＴＥＭ  ＬＳＩのＩ／Ｏ用として主に使用される３．３Ｖ（ボルト）、５Ｖ（ボルト）の３電源を作成している。デジタルカメラとの接続は、本実施例では、ＵＳＢインターフェースで接続される。信号線としては、データラインのＤ＋，Ｄ−電源のＶｂｕｓ，ＧＮＤからなる。
【００１７】
画像撮像素子を具備する装置が接続されたことを検出する手段は、本実施例では、ＵＳＢの規格に準じている。具体的には、ＵＳＢデバイスは、データラインのどちらかにプルアップ抵抗をもっており、デバイスがハブまたはホストのポートに接続されて２．５ｕｓ以上の間データラインのどちらか１つがハイ側スレッショルド以上にプルアップされている事で検出できる。どのＵＳＢデバイスも、最初に取り付けられた時は、１００ｍＡより大きい電力を必要としない。ホストは通常、ＵＳＢデバイスにコンフィグレーション情報を要求して、デバイスの機能を調べデバイスの構成を行う。その際ホストは、バス電源を使うＵＳＢデバイスの取り付けを検出するとデバイスの消費電力を見積もり、構成を行う。
【００１８】
本実施例では、インターフェースを介して電源の供給を受け動作することが可能な前記画像撮像素子を具備する装置が接続された場合、接続された事を記録装置のインターフェース制御回路１０３で検出し、記録装置の電力負荷を抑えるような印刷（記録）を行うことを目的としている。
【００１９】
図３は記録動作について、消費電流値（縦軸）の時間変化（横軸）の関係を説明する図である。この図３は、キャリッジモータが駆動してキャリッジが走査した後、搬送モータの駆動により記録用紙が搬送され（この搬送量は記録に使われる記録ノズル数に対応している）、その後再びキャリッジモータが駆動してキャリッジが走査していることを示している。この動作を繰り返して記録用紙に画像が形成される。
【００２０】
（Ａ）は、記録動作を行う場合の、キャリッジモータの消費電流の変化である。この図においては、キャリッジモータの駆動を開始して所定の時間を経過したのち、消費電流がピークに達する。（Ｂ）は、搬送モータの消費電流の変化を示している。（Ｃ）は、両者を合計した消費電流値の変化を示す。（Ａ）と（Ｂ）より、キャリッジを走査させるために、キャリッジモータが動作している期間は、搬送モータは停止している（非駆動状態である）ので、図３（Ｃ）で示した消費電力のピークを、図４の（Ｃ）に示す従来の消費電流値のピークより低くすることができる。つまり記録装置の消費電力を抑制することができる。
【００２１】
記録装置の消費電力としては、この（Ｃ）で示す消費電力のほか、記録ヘッドを駆動する消費電力や、ＵＳＢホストとして電力供給するための消費電力がある。
【００２２】
デジタルカメラなどが記録装置に接続された場合には、キャリッジモータと搬送モータを同時に駆動しないように駆動タイミングを切替える制御を行うことで、モータの駆動タイミングを分散させることができる。
【００２３】
図５に本実施例のフローチャートを示す。この制御は、例えば、印刷ジョブ単位（１ページ単位または、複数ページ単位）で行うもので、そのジョブの記録開始前に行う。記録装置はＵＳＢホストとして動作する。記録装置は、ＵＳＢの規格に準じ、デジタルカメラ等のＵＳＢファンクションが接続された事を検出する（５０１）。さらに記録装置のＵＳＢホストは、接続されたファンクションに対してコンフィグレーション情報を要求し、デバイスの機能を調べる。その１つとしてファンクションのＵＳＢデバイスがＶｂｕｓから電源の供給を受け動作するバスパワーのデバイスかどうかを確認する（５０２）。
【００２４】
ファンクションのＵＳＢデバイスがバスパワーのデバイスであった場合、キャリッジモータと搬送モータを同時に駆動しない動作モードとする（５０３）。このため、キャリッジモータあるいは搬送モータ（または、その両モータ）の駆動開始タイミングを変更する。ファンクションのＵＳＢデバイスがバスパワーのデバイスでない場合は、印刷（記録）モードを変更せず通常の印刷モードとする（５０４）。つまり、キャリッジモータと搬送モータを同時に駆動して記録を行う。
【００２５】
デジタルカメラとの接続は、本実施例では、ＵＳＢインターフェースで接続される。信号線としては、データラインのＤ＋，Ｄ−電源のＶｂｕｓ，ＧＮＤからなる。
【００２６】
デジタルカメラが接続されたことを検出する手段は、本実施例では、ＵＳＢの規格に準じている。具体的には、ＵＳＢデバイスは、データラインのどちらかにプルアップ抵抗をもっており、デバイスがハブまたはホストのポートに接続されて２．５ｕｓ以上の間データラインのどちらか１つがハイ側スレッショルド以上にプルアップされていることで検出できる。
【００２７】
＜第２の実施例＞
第１の実施例において、図５の（５０３）では、キャリッジモータと搬送モータを同時に駆動しない動作モードとしたが、キャリッジモータと搬送モータを同時に駆動する時間を短くする（例えば１／４にする）制御でも構わない。つまり、キャリッジモータの消費電力が比較的低い期間（例えば駆動開始から所定の期間時）では、搬送モータを駆動するように駆動タイミングを変更する。
【００２８】
例えば、搬送モータが駆動開始後、キャリッジモータの駆動開始するタイミングを遅らせる制御を行う（つまり、搬送モータの駆動開始後のキャリッジモータの駆動開始時間を大きくする）。これは、キャリッジモータの例えば加速駆動時間が長い場合（キャリッジモータの消費電力の増加するのに時間がかかる場合）に適用できる。これにより、キャリッジモータと搬送モータの同時駆動を禁止する場合より、スループットが大きく低下するのを防ぐことができる。
【００２９】
なお、他の説明については、第１の実施例の内容と同じであるので、説明を省略数する。
【００３０】
＜その他の実施例＞
以上、第１，２の実施例を説明したが、この図５に示した制御は、例えば、印刷ジョブ単位（１ページ単位または、複数ページ単位）で行うものとするが、これに限定するものでなく、記録動作開始時（１ページ単位ごと）に行っても構わない。
【００３１】
これにより、デジタルカメラ等のＵＳＢファンクションの接続、非接続の状態に応じて、記録装置は電力消費と記録速度のバランスをとりながら記録動作を行うことが出来る。
【００３２】
さらに、記録装置の動作をより確実にするために、１主走査記録動作単位で接続検出処理を行っても構わない。つまり、電力負荷が大きい記録データを記録している途中に、デジタルカメラ等のＵＳＢファンクションの接続された場合にも、すぐに、消費電力を下げることができる。
【００３３】
また、モータの駆動タイミングについては、搬送モータとキャリッジモータとの関係に限定するものではなく、他の給排紙用モータや、メンテナンス用モータなどの駆動についても適用しても構わない。
【００３４】
また、ホストコンピュータとプリンタがＵＳＢケーブルで接続された状態であって、プリンタがホストコンピュータからデータを受信し、記録動作を開始する際、には、機器（デジタルカメラなどの）が接続したかどうかの検出処理そのものを行わないようにしても良い。即ちプリンタの記録動作が開始し、記録動作が完了するまでの期間は、機器の接続の検出を禁止する処理を行っても構わない。あるいは、プリンタの記録動作が開始し、記録動作が完了するまでの期間は、機器の接続の検出は行っても、記録動作が完了するまで機器に対して電力供給は行わない制御を行っても構わない。
【００３５】
なお、ＵＳＢの規格に準ずるＵＳＢファンクションの例としてデジタルカメラを例として説明したが、デジタルカメラに限定するものではなくこのＵＳＢ規格を満たす（ＵＳＢ規格に準ずる）電子機器（メモリ装置、通信装置）に対しても適用してもよい。また、扇風機や、発光装置（ライト）などが接続される場合にも適用してもよい。
【００３６】
【発明の効果】
以上説明したように、本発明によれば、例えばデジタルカメラなどの電子機器が接続／非接続の状態に応じて、記録装置の駆動手段の動作タイミングを変えることで、電源負荷のピークを抑制しつつ、スループットの低下を抑制することができる。これにより、接続した電子機器に対しても電源供給を行うこともでき、電源のコストダウンも実現できる。
【図面の簡単な説明】
【図１】実施例の記録装置の概略構成例を示すブロック図。
【図２】実施例の電源供給手段の説明図。
【図３】実施例のキャリッジモータおよび搬送モータの消費電流を示した図。
【図４】従来のキャリッジモータおよび搬送モータの消費電流を示した図。
【図５】実施例のフローチャート
【符号の説明】
１００  コントロールボード
１０１  ＳＹＳＴＥＭ  ＬＳＩ
１０２  ＣＰＵ  ＣＯＲＥ
１０３  インターフェース制御回路
１０４  データ制御回路
１０５  プリントデータ生成回路
１０６  ヘッド制御回路
１０７  モータ制御回路
１０８  ＲＯＭ
１０９  ＲＡＭ
１１０  インターフェース
１１３  モータドライバ
１１４  モータ
１１５  記録ヘッド
１１８  ホストコンピュータ
１１９  デジタルカメラ
２０１  記録装置電源
２０２  ロジック系電源作成手段
２０３  ＵＳＢコネクタ
【図１】
2004358894.tif 000003
【図２】
2004358894.tif 000004
【図３】
2004358894.tif 000005
【図４】
2004358894.tif 000006
【図５】
2004358894.tif 000007